(57)【要約】【課題】モザイク画像を経済活動、営業活動に有効に利用する。【解決手段】本発明は、複数の画像の組み合わせによりモザイク画像を形成するモザイク画像形成システム１に関する。このモザイク画像形成システム１は、画像データを取得する手段７と、所定数の画像データの配置位置が示されたターゲットデータを取得する手段９と、取得した画像データとターゲットデータとに基づいて、モザイク画像データを作成する手段１０とを具備する。【選択図】    図１
2004363921.tif 000002
【特許請求の範囲】
【請求項１】
複数の画像の組み合わせによりモザイク画像を形成するモザイク画像形成システムであって、
画像データを取得する手段と、
所定数の画像データの配置位置が示されたターゲットデータを取得する手段と、
取得した画像データと前記ターゲットデータとに基づいて、モザイク画像データを作成する手段と
を具備することを特徴とするモザイク画像形成システム。
【請求項２】
複数の画像の組み合わせによりモザイク画像を形成するモザイク画像形成システムであって、
画像識別データに対応する少なくとも一つの画像データを取得する手段と、
所定数の画像データの配置位置が示されたターゲットデータを取得する手段と、
取得した画像データと前記ターゲットデータとに基づいて、モザイク画像データを作成する手段と
を具備することを特徴とするモザイク画像形成システム。
【請求項３】
ユーザからユーザＩＤを受け付けるユーザ管理手段と、
前記ユーザから画像識別データを受け付けた場合に、前記画像識別データと少なくとも一つの画像データとを対応付けたベーシックデータを参照し、前記ベーシックデータの参照に基づいて前記ユーザＩＤと画像データとを対応付けた個別ユーザデータを作成する画像取得手段と、
モザイク画像を構成する画像データの配置位置が示されているターゲットデータに基づいて、前記ユーザＩＤに対応付けられた画像データを配置してモザイク画像データを作成するモザイク作成手段と
を具備することを特徴とするモザイク画像形成システム。
【請求項４】
請求項３記載のモザイク画像形成システムにおいて、
前記ユーザに対して前記モザイク画像データを表示するモザイク画像表示手段を具備することを特徴とするモザイク画像形成システム。
【請求項５】
請求項３又は請求項４記載のモザイク画像形成システムにおいて、
前記ユーザに対して前記ユーザＩＤに対応付けられている画像データを表示する画像表示手段を具備することを特徴とするモザイク画像形成システム。
【請求項６】
請求項５記載のモザイク画像形成システムにおいて、
前記ユーザの操作するユーザ端末に対して、前記画像表示手段として機能するアルバムプログラムを提供するアルバム提供手段を具備することを特徴とするモザイク画像形成システム。
【請求項７】
請求項３乃至請求項６のいずれか１項記載のモザイク画像形成システムにおいて、
前記ユーザに対してターゲットデータの選択を促し、前記ユーザによって選択されたターゲットデータと前記ユーザＩＤとの対応付けを行うターゲット選択手段を具備し、
前記モザイク作成手段は、前記ユーザＩＤに対応付けられたターゲットデータに基づいて、前記ユーザＩＤに対応付けられた画像データを配置し、前記モザイク画像データを作成する
ことを特徴とするモザイク画像形成システム。
【請求項８】
請求項３乃至請求項７のいずれか１項記載のモザイク画像形成システムにおいて、
前記ユーザＩＤに対応付けられたいずれかの画像データと、他のユーザのユーザＩＤに対応付けられたいずれかの画像データとを、前記ユーザと前記他のユーザからの指示にしたがって交換するための制御を行うトレーディング手段を具備することを特徴とするモザイク画像形成システム。
【請求項９】
請求項２乃至請求項８のいずれか１項記載のモザイク画像形成システムにおいて、
前記画像識別データは、トレーディングカードに付されている識別番号であり、
前記画像データは、デジタルトレーデングカードである
ことを特徴とするモザイク画像形成システム。
【請求項１０】
コンピュータに、
画像データを取得する機能、
所定数の画像データの配置位置が示されたターゲットデータを取得する機能、
取得した画像データと前記ターゲットデータとに基づいて、モザイク画像データを作成する機能
を実現させるためのプログラム。
【請求項１１】
コンピュータによりモザイク画像を形成する方法において、
画像データと、所定数の画像データの配置位置が示されたターゲットデータとを取得し、
取得した画像データと前記ターゲットデータとに基づいて、モザイク画像データを作成する
ことを特徴とするモザイク画像形成方法。
【発明の詳細な説明】
【０００１】
【発明の属する技術分野】
本発明は、複数の画像を組み合わせてモザイク画像を形成するモザイク画像形成システム及びプログラム並びに方法に関する。
【０００２】
【従来の技術】
モザイク画像は、複数のタイル状のソース画像が組み合わされて形成される（例えば非特許文献１参照）。この非特許文献１では、複数のソース画像が組み合わされ、複数のソース画像全体でさらに一つのモザイク画像が形成されている。
【０００３】
【非特許文献１】
「Ｐｈｏｔｏｍｏｓａｉｃｓ」ＨｅｎｒｙＨｏｌｔ＆ｃｏｍｐａｎｙ，Ｉｎｃ、１９９７年１０月
【０００４】
【発明が解決しようとする課題】
現状では、モザイク画像の形成は、所定の機器を持つ専門家によって行われる。したがって、一般のユーザがモザイク画像を形成し、閲覧する機会は多くない。
【０００５】
また、モザイク画像を経済活動、営業活動に有効に利用する方法については、未だ検討が進んでいない。
【０００６】
本発明は、以上のような実情に鑑みてなされたもので、ユーザからの画像識別データの入力にしたがってモザイク画像の形成を段階的に行うことで、モザイク画像を経済活動、営業活動に有効に利用するモザイク画像形成システム及びプログラム並びに方法を提供することを目的とする。
【０００７】
【課題を解決するための手段】
本発明を実現するにあたって講じた具体的手段について以下に説明する。
【０００８】
第１の発明は、複数の画像の組み合わせによりモザイク画像を形成するモザイク画像形成システムであって、画像データを取得する手段と、所定数の画像データの配置位置が示されたターゲットデータを取得する手段と、取得した画像データと前記ターゲットデータとに基づいて、モザイク画像データを作成する手段とを具備するモザイク画像形成システムである。
【０００９】
この第１の発明では、ターゲットデータに基づいて取得した画像データを配置し、モザイク画像を形成できる。
【００１０】
第２の発明は、複数の画像の組み合わせによりモザイク画像を形成するモザイク画像形成システムであって、画像識別データに対応する少なくとも一つの画像データを取得する手段と、所定数の画像データの配置位置が示されたターゲットデータを取得する手段と、取得した画像データとターゲットデータとに基づいて、モザイク画像データを作成する手段とを具備するモザイク画像形成システムである。
【００１１】
この第２の発明により、画像識別データに対応する画像データを用いてモザイク画像を形成できる。
【００１２】
第３の発明は、ユーザからユーザＩＤを受け付けるユーザ管理手段と、ユーザから画像識別データを受け付けた場合に、画像識別データと少なくとも一つの画像データとを対応付けたベーシックデータを参照し、ベーシックデータの参照に基づいてユーザＩＤと画像データとを対応付けた個別ユーザデータを作成する画像取得手段と、モザイク画像を構成する画像データの配置位置が示されているターゲットデータに基づいて、ユーザＩＤに対応付けられた画像データを配置してモザイク画像データを作成するモザイク作成手段とを具備するモザイク画像形成システムである。
【００１３】
この第３の発明により、ユーザから受け付けた画像識別データの入力状態に応じて、段階的にモザイク画像を形成できる。
【００１４】
第４の発明は、上記第３の発明のモザイク画像形成システムにおいて、ユーザに対してモザイク画像データを表示するモザイク画像表示手段を具備するモザイク画像形成システムである。
【００１５】
この第４の発明により、ユーザは、自身の画像識別データの入力によって取得した画像データによってモザイク画像を形成し、モザイク画像を確認し、モザイク画像完成までの進行状態、完成したモザイク画像を閲覧できる。ユーザは、モザイク画像の形成過程を楽しむことができる。
【００１６】
第５の発明は、上記第３又は第４のモザイク画像形成システムにおいて、ユーザに対してユーザＩＤに対応付けられている画像データを表示する画像表示手段を具備するモザイク画像形成システムである。
【００１７】
この第５の発明により、ユーザは、自身の画像識別データの入力によって取得した画像データを確認できる。
【００１８】
第６の発明は、上記第５の発明のモザイク画像形成システムにおいて、ユーザの操作するユーザ端末に対して、画像表示手段として機能するアルバムプログラムを提供するアルバム提供手段を具備するモザイク画像形成システムである。
【００１９】
この第６の発明において、例えば、アルバムプログラムの提供に対して対価を得るとしてもよい。
【００２０】
第７の発明は、上記第３から第６の発明のモザイク画像形成システムにおいて、ユーザに対してターゲットデータの選択を促し、ユーザによって選択されたターゲットデータとユーザＩＤとの対応付けを行うターゲット選択手段を具備し、モザイク作成手段は、ユーザＩＤに対応付けられたターゲットデータに基づいて、ユーザＩＤに対応付けられた画像データを配置し、モザイク画像データを作成するモザイク画像形成システムである。
【００２１】
この第７の発明により、ユーザは、自己のニーズにあうモザイク画像を形成できる。この第７の発明において、例えば、ターゲットデータの取得に対して対価を得るとしてもよい。
【００２２】
第８の発明は、上記第３から第７の発明のモザイク画像形成システムにおいて、ユーザＩＤに対応付けられたいずれかの画像データと、他のユーザのユーザＩＤに対応付けられたいずれかの画像データとを、ユーザと他のユーザからの指示にしたがって交換するための制御を行うトレーディング手段を具備するモザイク画像形成システムである。
【００２３】
この第８の発明により、ユーザ間で画像データが交換され、モザイク画像の形成活動が活性化される。
【００２４】
第９の発明は、上記第２から第８の発明のモザイク画像形成システムにおいて、画像識別データは、トレーディングカードに付されている識別番号であり、画像データは、デジタルトレーデングカードであるモザイク画像形成システムである。
【００２５】
この第９の発明により、ユーザによるデジタルトレーディングカードの収集活動にモザイク画像形成という付加価値を加えることができ、デジタルトレーディングカードを有効に活用でき、利用促進を図ることができる。
【００２６】
第１０の発明は、コンピュータに、画像データを取得する機能、所定数の画像データの配置位置が示されたターゲットデータを取得する機能、取得した画像データとターゲットデータとに基づいて、モザイク画像データを作成する機能を実現させるためのプログラムである。
【００２７】
この第１０のプログラムを用いることで、上記第１の発明と同様の作用により同様の効果を得ることができる
第１１の発明は、コンピュータによりモザイク画像を形成する方法において、画像データと、所定数の画像データの配置位置が示されたターゲットデータとを取得し、取得した画像データとターゲットデータとに基づいて、モザイク画像データを作成するモザイク画像形成方法である。
【００２８】
この第１１の発明を実施することにより、上記第１の発明と同様の作用により同様の効果を得ることができる。
【００２９】
なお、上記第２から第９の発明についてもプログラム又はモザイク画像形成方法に変形してもよい。
【００３０】
【発明の実施の形態】
以下、図面を参照しながら本発明の実施の形態について説明する。
【００３１】
本実施の形態においては、ユーザの取得したトレーディングカード（以下、「トレカ」という）に付された画像識別データを受け付け、この画像識別データに対応するデジタルトレーディングカード（以下、「デジトレカ」という）を組み合わせて当該ユーザに対するモザイク画像を形成するモザイク画像形成システムについて説明する。なお、デジトレカは、ネットワーク上で流通され、トレーディングカードとしての役割を果たす画像データである。
【００３２】
トレカには、テレビ番組の登場キャラクタ、ゲームの登場キャラクタ、有名人などのイラスト、写真などが描かれている。
【００３３】
一般的に、トレカは、子供に対戦ゲームの道具として利用される。一方、大人は、トレカをコレクションの対象とする。トレカの収集、交換は人気があり、オークションによる取引の対象にもなる。トレカの取引は活発化しておりトレカ産業は成長しているため、トレカの営業的な利用価値は極めて高い。
【００３４】
図１は、本実施の形態に係るモザイク画像形成システムの構成の一例を示すブロック図である。
【００３５】
モザイク画像形成システム１は、例えばインターネットなどのネットワーク２を経由してユーザＵ１〜Ｕｎの操作する端末Ｔ１〜Ｔｎと通信可能に接続される。
【００３６】
端末Ｔ１〜Ｔｎは、ブラウザＢ１〜Ｂｎを具備する。ブラウザＢ１〜ＢｎにトレカサイトのＵＲＬを入力すると、モザイク画像形成システム１にアクセス可能である。
【００３７】
本実施の形態においては、ユーザＵ１が端末Ｔ１を用いてモザイク画像形成システム１を利用する場合について説明するが、他のユーザＵ２〜Ｕｎが端末Ｔ２〜Ｔｎを用いる場合も同様である。
【００３８】
モザイク画像形成システム１は、サーバマシン３によって、記録媒体４に記録されているモザイク画像形成プログラム５が読み込まれ、実行されることにより、ユーザ管理機能６、画像取得機能７、アルバム提供機能８、ターゲット選択機能９、モザイク作成機能１０、トレーディング機能１１、商品提供機能１２、決済機能１３を実現する。なお、本実施の形態におけるモザイク画像形成プログラム５のうち、モザイク画像データを作成するプログラム（アプリケーション）と、デジトレカを管理するプログラム（アプリケーション）とは、それぞれが独立しているとする。
【００３９】
また、モザイク画像形成システム１は、モザイク画像を形成するＷｅｂサービスを提供するめに予め用意されている各種データ又はプログラムを管理するベーシックデータベース１４と、各ユーザ個別のデータを管理する個別ユーザデータベース１５とを具備する記録部１６をアクセスする。
【００４０】
なお、本実施の形態においては、モザイク画像形成システム１が１台のサーバマシン３により実現されているが、複数のサーバマシンが連携するとしてもよい。また、複数のサーバマシンが連携してモザイク画像形成システム１を実現する場合、複数のサーバマシンがネットワーク２を経由して動作するとしてもよい。また、サーバマシン３は、ベーシックデータベース１４、個別ユーザデータベース１５を、ネットワーク２経由でアクセスするとしてもよい。
【００４１】
ベーシックデータベース１４は、例えば画像識別データＩ１〜Ｉｎ、画像識別データＩ１〜Ｉｎと対応付けされているデジトレカＤ１〜Ｄｎ、ターゲットデータＥ１〜Ｅｎ、アルバムプログラム（カードアルバム）Ａ１〜Ａｎ、完成したモザイク画像に対して提供される商品を示す商品データＣ１〜Ｃｎを管理する。なお、トレカの種別に応じて、画像識別データＩ１〜Ｉｎ、デジトレカＤ１〜Ｄｎ、ターゲットデータＥ１〜Ｅｎ、アルバムプログラムＡ１〜Ａｎ、商品データＣ１〜Ｃｎは、任意に対応付けされていてもよい。対応関係は、一対一に限られず、一つのデータ又はプログラムに対して、複数のデータ又はプログラムが対応付けされていてもよい。
【００４２】
ターゲットデータＥ１〜Ｅｎは、モザイク画像を構成するデジトレカの配置位置を表す。ターゲットデータＥ１〜Ｅｎの示す配置位置に所定のデジトレカを配置することにより、各種モザイク画像が形成される。
【００４３】
アルバムプログラムＡ１〜Ａｎは、ブラウザＢ１〜Ｂｎに読み込まれると、このブラウザＢ１〜Ｂｎを操作するユーザＵ１〜ＵｎのユーザＩＤに応じて、デジトレカの表示制御を行う画像表示機能１７、形成されたモザイク画像の表示制御を行うモザイク画像表示機能１８とを実現する。
【００４４】
個別ユーザデータベース１５は、例えば、会員登録を行ったユーザＵ１〜Ｕｎ毎に、ユーザＩＤ、パスワード、個人データ、取得したデジトレカ、取得したデジトレカについてモザイク画像の形成に適用済みか否かを示す情報、取得したターゲットデータ、取得したアルバムプログラム、決済方法を指定する決済データを管理する。
【００４５】
ユーザ管理機能６は、ユーザＵ１〜Ｕｎの端末Ｔ１〜ＴｎからユーザＩＤとパスワードを受け付け、アクセス権限の有無を管理する。
【００４６】
画像取得機能７は、ユーザＵ１〜Ｕｎの端末Ｔ１〜ＴｎからユーザＵ１〜Ｕｎの取得したトレカに付されている画像識別データを受け付けると、ベーシックデータベース１４をアクセスし、画像識別データに対応するデジトレカを取得する。
【００４７】
また、画像取得機能７は、ユーザＵ１〜ＵｎのユーザＩＤとそのユーザの取得したデジトレカとを対応付けて個別ユーザデータベース１５に記録する。
【００４８】
アルバム提供機能８は、ユーザＵ１〜Ｕｎに、ベーシックデータベース１４に記録されている複数のアルバムプログラムＡ１〜Ａｎの中から取得を希望するアルバムプログラムの選択を促す。
【００４９】
また、アルバム提供機能８は、ユーザＵ１〜Ｕｎによるアルバムプログラムの選択内容を受け付け、ユーザＵ１〜Ｕｎの操作する端末Ｔ１〜Ｔｎに、選択されたアルバムプログラムを提供する。本実施の形態では、アルバムプログラムＡ１が端末Ｔ１に提供され、ブラウザＢ１上で動作するとする。これにより、ブラウザＢ１上で、上記画像表示機能１７、モザイク画像表示機能１８が実現される。
【００５０】
また、アルバム提供機能８は、ユーザのユーザＩＤとこのユーザに提供したアルバムプログラムとを対応付けて個別ユーザデータベース１５に記録する。
【００５１】
ターゲット選択機能９は、ユーザＵ１〜Ｕｎに、ベーシックデータベース１４に記録されている複数のターゲットデータＥ１〜Ｅｎの中から取得を希望するターゲットデータの選択を促す。
【００５２】
また、ターゲット選択機能９は、ユーザＵ１〜Ｕｎによるターゲットデータの選択内容を受け付け、ユーザＩＤとユーザに選択されたターゲットデータとを対応付けて個別ユーザデータベース１５に記録する。
【００５３】
モザイク作成機能１０は、モザイク画像の形成を行う。具体的には、モザイク作成機能１０は、ユーザＩＤに対応付けられておりモザイク画像の形成に未だ適用していないデジトレカ及び適用済みのデジトレカを、ユーザＩＤに対応付けられたターゲットデータの示す所定の配置位置に配置することによりモザイク画像データを作成し、未適用であったデジトレカを適用済みに変更する。
【００５４】
モザイク画像データは、予め作成・記録されており、表示イベントが発生する度に、記録されたモザイク画像データが読み出されて表示されるとしてもよく、表示イベントが発生する度に、モザイク画像データがモザイク作成機能１０によって作成され、表示されるとしてもよい。
【００５５】
トレーディング機能１１は、デジトレカの購入処理を実行する。具体的には、トレーディング機能１１は、ユーザＵ１〜Ｕｎがベーシックデータベース１４に記録されている複数のデジトレカの中から購入を希望するデジトレカを選択した場合、ユーザＩＤとユーザに選択された購入希望のデジトレカとを対応付けて個別ユーザデータベース１５に記録する。
【００５６】
また、トレーディング機能１１は、デジトレカのトレーディング処理を実行する。具体的には、トレーディング機能１１は、個別ユーザデータベース１５において、あるユーザのユーザＩＤに対応付けされているデジトレカと、他のユーザのユーザＩＤに対応付けされているデジトレカを、あるユーザと他のユーザの意思にしたがって交換するための制御を行う。
【００５７】
商品提供機能１２は、ユーザの取得したターゲットデータに対して全てのデジトレカが配置され、モザイク画像が完成した場合に、このモザイク画像に対応付けされている商品の選択をユーザに促す。
【００５８】
また、商品提供機能１２は、ユーザの商品の選択内容を受け付け、ユーザＩＤとユーザに選択された商品の商品データとを対応付けて個別ユーザデータベース１５に記録する。
【００５９】
決済機能１３は、例えば、ユーザがターゲットデータを選択した場合、アルバムプログラムを選択した場合、ユーザが購入を希望するデジトレカを選択した場合、ユーザと他のユーザとの間でデジトレカの交換が行われた場合、ユーザが完成したモザイク画像に対応する商品を選択した場合に、個別ユーザデータベース１５に記録された決済データにしたがって決済処理を行う。
【００６０】
図２は、アルバムプログラムＡ１〜Ａｎによるデジトレカの表示形態の一例を示す図である。
【００６１】
ユーザの取得したデジトレカがアルバムに収納された形式で表示され、ユーザはページをめくり、自己の取得したデジトレカを参照できる。なお、本実施の形態では、アルバムプログラムＡ１〜Ａｎは、同様の表示形式によりユーザの作成途中のモザイク画像、ユーザによって完成されたモザイク画像も表示可能とする。
【００６２】
図３は、画像識別データとデジトレカとターゲットデータとに基づいて形成されたモザイク画像の一例を示す図である。
【００６３】
ユーザＵ１から入力された画像識別データＩ１には、少なくとも一つのデジトレカＤ１〜Ｄ５が対応付けされている。一つの画像識別データＩ１には、例えば５個から１５個のデジトレカが対応付けられる。
【００６４】
ユーザＵ１は、取得したデジトレカＤ１〜Ｄ５を、取得したターゲットデータのうちどのターゲットデータに用いるか判断し、選択する。
【００６５】
ユーザＵ１によって選択されたターゲットデータＥ１に基づいてデジトレカＤ１〜Ｄ５が配置され、モザイク画像Ｍが形成される。
【００６６】
モザイク画像Ｍには、いちごが描かれている。モザイク画像Ｍの斜線部は緑色であり、いちごのヘタを表す。一方、点の付されている領域は赤色であり、いちごの実を表す。
【００６７】
図４は、個別ユーザデータベース１５の具体例を示す図である。
【００６８】
個別ユーザデータベース１５では、会員となった各ユーザについてのユーザＩＤに、パスワード、個人データ、決済データ、取得したアルバムプログラムが対応付けされる。
【００６９】
また、個別ユーザデータベース１５では、ユーザの取得したトレーディングカードのメーカ、トレーディングカードのアルバムプログラムのメーカ、トレーディングカードのキャラクタ、トレーディングカードのシリーズが管理され、ユーザの取得した各アルバムプログラムについて、ユーザの取得したデジトレカがモザイク画像の形成に未適用か適用済みか区別可能な状態で管理される。
【００７０】
また、個別ユーザデータベース１５では、ユーザの取得したアルバムプログラムについて、ユーザの取得したターゲットデータが管理される。
【００７１】
また、個別ユーザデータベース１５では、ユーザの取得したアルバムプログラムについて、完成済みのモザイク画像データと選択された商品についての商品データとが管理される。
【００７２】
図５は、ベーシックデータベース１４の具体例を示す図である。
【００７３】
ベーシックデータベース１４では、全アルバムプログラムについて、メーカ、キャラクタ、シリーズ、アルバムプログラムの詳細内容が管理される。
【００７４】
また、ベーシックデータベース１４では、全ターゲットデータのメーカ、キャラクタ、シリーズが管理され、全ターゲットデータについて、モザイク画像を完成させたユーザに取得を許可する商品を示す商品データが管理される。
【００７５】
また、ベーシックデータベース１４では、全デジトレカとデジトレカに付される画像識別データとが管理され、また、全デジトレカについて、メーカ、キャラクタ、シリーズが管理される。また、ベーシックデータベース１４では、全デジトレカに対してそれぞれ一意に対応する識別データが管理される。本実施の形態における「Ｄ１」〜「Ｄｎ」が各デジトレカの識別データに相当する。
【００７６】
また、ベーシックデータベース１４では、ユーザがデジトレカの取得（購入）を希望する場合に参考にするデジトレカの詳細内容について、メーカ、キャラクタ、シリーズが管理される。
【００７７】
また、ベーシックデータベース１４では、ユーザ間でデジトレカを交換するために、デジトレカの出品内容を示す出品リスト、出品されたデジトレカについての入札内容を示す入札リスト、出品されたデジトレカについての落札内容を示す落札リストが管理される。
【００７８】
このように、ベーシックデータベース１４では、アルバムプログラム、ターゲットデータ、デジトレカ、デジトレカの詳細内容が、メーカ、キャラクタ、シリーズによって関係付けられている。
【００７９】
図６は、モザイク画像形成システム１によって提供されるモザイク画像形成サービスの具体例を示す図である。
【００８０】
ユーザＵ１は、ブラウザＢ１にトレカサイトに対応するＵＲＬを入力するなどにより、モザイク画像形成システム１にアクセスし、ユーザＩＤ及びパスワードを入力してモザイク画像形成システム１にログインを求める。
【００８１】
ユーザ管理機能６は、ユーザＩＤとパスワードとを受け付け、ユーザＩＤ及びパスワードが正当であればログインを認め、トップページ１９をブラウザＢ１に提供する。すると、ブラウザＢ１は、トップページ１９を表示する。
【００８２】
トップページ１９は、新たにアルバムプログラムの購入を求めるボタン１９ａと、ユーザが現在取得しているアルバムプログラムの一覧とを含む。
【００８３】
ユーザＵ１は、新たにアルバムプログラムの購入を求める場合、ボタン１９ａを押す。すると、アルバム提供機能８は、ユーザＵ１に、メーカ選択、キャラクタ選択、シリーズ選択などを促し、ユーザＵ１が購入を希望するアルバムプログラムの絞り込みを行う。
【００８４】
ユーザＵ１が購入するアルバムプログラムを選択すると、アルバム提供機能８は、ユーザＩＤと購入されたアルバムプログラムとを対応付けて個別ユーザデータベース１５に登録するとともに、アルバムプログラムをブラウザＢ１に提供し、表示をトップページ１９に戻す。
【００８５】
一方、ユーザＵ１がトップページ１９の取得アルバム一覧からいずれかのアルバムプログラムを選択した場合、ユーザ管理機能６は、メニューページ２０をブラウザＢ１に提供する。すると、ブラウザＢ１は、メニューページ２０を表示する。
【００８６】
メニューページ２０は、デジトレカ取得を求めるボタン２０ａ、取得したデジトレカ一覧表示又はモザイク画像作成を求めるボタン２０ｂ、ターゲットデータ購入を求めるボタン２０ｃ、モザイク画像ギャラリーとしての機能を求めるボタン２０ｄを含む。
【００８７】
ユーザＵ１は、新たに取得したトレカの例えば裏面に付されている画像識別データの入力を行う場合、ボタン２０ａを押す。
【００８８】
すると、画像取得機能７は、ユーザＵ１に、このトレカに付されている画像識別データ（図６では「１２３４５６７８」）の入力を促し、画像識別データを受け付ける。画像取得機能７は、受け付けた画像識別データに対応するデジトレカをベーシックデータベース１４から読み出し、ユーザＩＤと読み出したデジトレカとを対応付けて個別ユーザデータベース１５に記録し、新規デジトレカ一覧ページ２１をブラウザＢ１に提供する。すると、ブラウザＢ１は、新規デジトレカ一覧ページ２１を表示する。
【００８９】
新規デジトレカ一覧ページ２１は、新たにユーザＵ１が取得したデジトレカの一覧、モザイク画像作成を求めるボタン２１ａ、ユーザＵ１が取得済みのデジトレカの一覧表示を求めるボタン２１ｂを含む。
【００９０】
メニューページ２０上のボタン２０ｂ又は新規デジトレカ一覧ページ２１のボタン２１ｂが押されると、画像取得機能７は、取得デジトレカ一覧ページ２２をブラウザＢ１に提供する。ブラウザＢ１は、取得デジトレカ一覧ページ２２を表示する。
【００９１】
取得デジトレカ一覧ページ２２は、個別ユーザデータベース１５においてユーザＵ１のユーザＩＤと対応付けされている取得済みのデジトレカの一覧、モザイク画像作成を求めるボタン２２ａを含む。なお、取得デジトレカ一覧ページ２２は、画像表示機能１７により表示されるとしてもよい。
【００９２】
新規デジトレカ一覧ページ２１上のボタン２１ａ又は取得デジトレカ一覧ページ２２上のボタン２２ａが押されると、ターゲット選択機能９は、個別ユーザデータベース１５においてユーザＩＤと対応付けされているターゲットデータの有無を判断する。
【００９３】
メニューページ２０上のボタン２０ｃが押された場合又はターゲット選択機能９によってユーザＩＤに対応付けされたターゲットデータがないと判断された場合、ターゲット選択機能９は、ターゲットデータを購入するための処理を実行する。例えば、ターゲット選択機能９は、ターゲット選択ページ２３をブラウザＢ１に提供する。ブラウザＢ１は、ターゲット選択ページ２３を表示する。ターゲット選択ページ２３は、ベーシックデータベース１４に記録されている複数のターゲットデータの一覧を表示し、ユーザＵ１に購入を希望するターゲットデータの選択を促す。ユーザＵ１は、ターゲットデータの一覧の中から、購入を希望するターゲットデータを選択する。ターゲット選択機能９は、選択されたターゲットデータとユーザＩＤとを対応付けて個別ユーザデータベース１５に記録する。なお、本実施の形態では、ターゲットデータの購入が終了すると、ブラウザＢ１の表示は、ターゲット選択ページ２３からメニューページ２０に移るとしているが、モザイク画像作成ページ２４に移るとしてもよい。
【００９４】
一方、ターゲット選択機能９によってユーザＩＤに対応付けされたターゲットデータがあると判断された場合、モザイク作成機能１０は、モザイク画像を形成し、モザイク画像作成ページ２４をブラウザＢ１に提供する。ブラウザＢ１は、モザイク画像作成ページ２４を表示する。
【００９５】
モザイク画像作成ページ２４は、モザイク作成機能１０により、ユーザＵ１の取得した各ターゲットデータに基づいてそれぞれのターゲットデータに適用済みのデジトレカを配置し、表示する。また、モザイク画像作成ページ２４は、モザイク作成機能１０により、いずれのターゲットデータに対しても未適用のデジトレカを全てのターゲットデータに基づいて配置し、未適用のデジトレカを試験的に適用した状態を表すモザイク画像の一覧を表示する。また、モザイク画像作成ページ２４は、モザイク画像に必要なデジトレカの総数と、ユーザの所有するデジトレカのうちターゲットデータに適用できるデジトレカの数を表示する。
【００９６】
ユーザＵ１が未適用のデジトレカを適用するモザイク画像を選択すると、モザイク作成機能１０は、この選択されたモザイク画像に対応するターゲットデータとこのターゲットデータに適用されたデジトレカとを対応付けて個別ユーザデータベース１５に記録する。
【００９７】
このように、モザイク作成機能１０は、指定されたターゲットデータに対して未適用のデジトレカ（既に適用されたデジトレカがある場合がある）を配置したモザイク画像を形成し、モザイク画像表示ページ２５をブラウザＢ１に提供する。ブラウザＢ１は、モザイク画像表示ページ２５を表示する。モザイク画像表示ページ２５は、新規に又は更新して形成されたモザイク画像とデジトレカ取得ボタン２５ａとを表示する。なお、モザイク画像表示ページ２５は、モザイク画像表示機能１８によって表示されるとしてもよい。
【００９８】
ユーザＵ１は、モザイク画像表示ページ２５上のモザイク画像を構成するために必要なデジトレカを購入又はトレードにより取得したい場合、ボタン２５ａを押す。
【００９９】
すると、トレーディング機能１１は、取得を希望するデジトレカの指定を促すデジトレカ選択ページ２６をブラウザＢ１に提供する。
【０１００】
ブラウザＢ１は、デジトレカ選択ページ２６を表示する。デジトレカ選択ページ２６は、未完成のモザイク画像を表示する。ユーザＵ１は、未完成のモザイク画像について、取得したいデジトレカの位置を選択する。
【０１０１】
すると、トレーディング機能１１は、取得方法選択ページ２７をブラウザＢ１に提供する。ブラウザＢ１は、取得方法選択ページ２７を表示する。取得方法選択ページ２７は、購入ボタン２７ａとトレーディングボタン２７ｂとを含む。
【０１０２】
ユーザＵ１によって購入ボタン２７ａが押された場合、トレーディング機能１１は、ユーザＵ１によって指定されたモザイク画像上の位置に該当するデジトレカの購入処理を実行し、ユーザＩＤと、指定に利用されたターゲットデータと、購入されたデジトレカとを対応付けて個別ユーザデータベース１５に記録する。
【０１０３】
ユーザＵ１によってトレーディングボタン２７ｂが押された場合、トレーディング機能１１は、出品リストを参照し、指定されたモザイク画像上の位置に該当するデジトレカについて入札処理を行い、落札処理によりユーザＵ１に指定された位置のデジトレカがこのユーザＵ１に落札された場合、ユーザＩＤとこの指定に利用されたターゲットデータと落札されたデジトレカとを対応付けて個別ユーザデータベース１５に記録する。
【０１０４】
購入又は落札されたデジトレカは、デジトレカ選択ページ２６のターゲットデータに対して適用され、モザイク画像が形成される。
【０１０５】
メニューページ２０上のボタン２０ｄが押された場合、商品提供機能１２は、個別ユーザデータベース１５を参照し、ユーザＵ１について完成済みのモザイク画像の一覧と商品購入ボタン２８ａとを含む完成済みモザイク画像ページ２８をブラウザＢ１に提供する。ブラウザＢ１は、完成済みモザイク画像ページ２８を表示する。なお、完成済みモザイク画像ページ２８は、モザイク画像表示機能１８によって表示されるとしてもよい。
【０１０６】
完成済みモザイク画像ページ２８上のボタン２８ａが押された場合又はモザイク画像表示ページ２５上のモザイク画像が完成した場合、商品提供機能１２は、ベーシックデータベース１４を参照し、完成したモザイク画像に対応する商品データを読み出し、商品選択ページ２９をブラウザＢ１に提供する。ブラウザＢ１は、商品選択ページ２９を表示する。商品選択ページ２９は、モザイク画像の完成により購入可能になった商品一覧を含む。
【０１０７】
ユーザＵ１によって商品選択ページ２９上の商品が選択された場合、商品提供機能１２は、ユーザＵ１のユーザＩＤと選択された商品の商品データとを対応付けて個別ユーザデータベース１５に記録する。
【０１０８】
なお、上記図６において、アルバムプログラムの購入、デジトレカの購入又はトレーディング、ターゲットデータの購入、商品の購入が行われる場合には、決済機能１３による決済処理が実行されるとする。
【０１０９】
図７は、モザイク画像形成システム１によるユーザ管理の画面遷移の一例を示す図である。
【０１１０】
まず、ユーザ管理機能６は、新規会員登録を行うか登録済みの会員のログインかを選択するページ３０をブラウザＢ１に提供する。
【０１１１】
ページ３０上の新規会員登録ボタン３０ａが押されると、ユーザ管理機能６は、新規会員登録ページ３１をブラウザＢ１に提供する。ユーザＵ１は、新規会員登録ページ３１上で希望ユーザＩＤ、希望パスワードを入力する。
【０１１２】
ユーザ管理機能６は、個別ユーザデータベース１５を参照し、希望ユーザＩＤが他のユーザのユーザＩＤと重複する場合には、再入力を求める。重複しない場合には、入力されたユーザＩＤとパスワードを個別ユーザデータベース１５に登録する。
【０１１３】
次に、ユーザ管理機能６は、個人データ登録ページ３２をブラウザＢ１に提供する。ユーザＵ１は、名前、住所、電話番号、職業などの個人に係わる情報、つまり個人データを入力する。エラーの場合には、個人データを再入力する。ユーザ管理機能６は、個別ユーザデータベース１５に、ユーザＩＤと個人データとを対応付けて記録する。
【０１１４】
次に、ユーザ管理機能６は、決済データ登録ページ３３を表示する。ユーザＵ１は、例えばクレジットカードの番号など決済に必要な決済データを入力する。エラーの場合には、決済データを再入力する。ユーザ管理機能６は、個別ユーザデータベース１５に、ユーザＩＤと決済データとを対応付けて記録する。
【０１１５】
一方、ページ３０上の会員ログインボタン３０ｂが押されると、ユーザ管理機能６は、ログインページ３４を表示する。ユーザＵ１は、ユーザＩＤ、パスワードを入力する。
【０１１６】
ユーザ管理機能６は、個別ユーザデータベース１５を参照し、個別ユーザデータベース１５に登録されているユーザＩＤ及びパスワードと、ユーザＵ１から入力されたユーザＩＤ及びパスワードとが整合するか判断する。
【０１１７】
整合しない場合、ユーザ管理機能６は、ユーザＵ１に、ユーザＩＤ及びパスワードのうち少なくとも一方の再入力を促す。
【０１１８】
整合する場合、ユーザ管理機能６は、個別ユーザデータベース１５からユーザＵ１のユーザＩＤに対応する各種データを読み出すとともに、トップページ１９をブラウザＢ１に提供する。
【０１１９】
図８は、モザイク画像形成システム１によるアルバムプログラム購入の画面遷移の一例を示す図である。
【０１２０】
ユーザＵ１は、アルバムプログラム購入ボタン１９ａを押す。アルバム提供機能８は、アルバムプログラムを販売するメーカ、アルバムプログラムの種類を示すキャラクタ及びシリーズを選択するページ３５〜３７を順にブラウザＢ１に提供し、ユーザＵ１の購入するアルバムプログラムの選択を受け付ける。
【０１２１】
アルバム提供機能８は、ベーシックデータベース１４と個別ユーザデータベース１５とを参照し、メーカ、キャラクタ、シリーズの絞り込みにより選択されたアルバムプログラムの購入に用いられる購入ページ３８をブラウザＢ１に提供する。
【０１２２】
購入ページ３８には、選択されたアルバムプログラムについてベーシックデータベース１４に登録されている詳細内容、個別ユーザデータベース１５に登録されているユーザＵ１の決済データ、購入ボタン３８ａ、決済データ変更ボタン３８ｂが表示される。ユーザＵ１は、詳細内容、決済データを確認する。
【０１２３】
購入ボタン３８ａが押された場合、アルバム提供機能８は、選択されたアルバムプログラムをユーザＩＤと対応させて個別ユーザデータベース１５に登録し、決済機能１３は、ユーザＩＤから登録されている決済データにしたがって決済を行う。
【０１２４】
決済データ変更ボタン３８ｂが押された場合、決済機能１３は、決済データ変更ページ３９をブラウザＢ１に提供する。ユーザＵ１は、変更後の決済データを入力し、保存するか否か選択する。
【０１２５】
保存する場合、アルバム提供機能８は、選択されたアルバムプログラムを個別ユーザデータベース１５に登録し、決済機能１３は、個別ユーザデータベース１５に変更後の決済データを登録し、変更後の決済データにしたがって決済を行う。
【０１２６】
保存しない場合には、アルバム提供機能８は、選択されたアルバムプログラムを個別ユーザデータベース１５に登録し、決済機能１３は、変更後の決済データにしたがって決済を行う。
【０１２７】
決済後、ユーザ管理機能６は、更新されたトップページ１９をブラウザＢ１に提供する。
【０１２８】
図９は、モザイク画像形成システム１によるターゲットデータ購入の画面遷移の一例を示す図である。
【０１２９】
ユーザＵ１は、トップページ１９上の取得したアルバムプログラム一覧から任意のアルバムプログラムを選択する。
【０１３０】
ユーザ管理機能６は、メニューページ２０をブラウザＢ１に提供する。すると、ブラウザＢ１は、メニューページ２０を表示する。ユーザＵ１は、メニューページ２０上のターゲットデータ購入ボタン２０ｃを押す。
【０１３１】
ターゲット選択機能９は、購入するターゲットデータを選択するためのターゲット選択ページ２３をブラウザＢ１に提供する。すると、ブラウザＢ１は、ターゲット選択ページ２３を表示する。ターゲット選択ページ２３は、ベーシックデータベース１４に登録されている全ターゲットデータ（既に購入されたターゲットデータを除く）を表示する。ユーザＵ１は、購入を希望するターゲットデータを選択する。
【０１３２】
ターゲット選択機能９は、ベーシックデータベース１４からユーザＵ１に選択されたターゲットデータについての詳細内容を読み出し、個別ユーザデータベース１５からユーザＵ１の決済データを読み出し、ターゲットデータの購入ページ４０を、ブラウザＢ１に提供する。すると、ブラウザＢ１は、購入ページ４０を表示する。購入ページ４０は、選択されたターゲットデータの詳細内容、ユーザＵ１の決済データ、購入ボタン４０ａ、決済データ変更ボタン４０ｂを含む。ユーザＵ１は、詳細内容、決済データを確認する。
【０１３３】
購入ボタン４０ａが押された場合、ターゲット選択機能９は、選択されたターゲットデータをユーザＩＤに対応させて個別ユーザデータベース１５に登録し、決済機能１３は、登録されている決済データにしたがって決済を行う。
【０１３４】
決済データ変更ボタン４０ｂが押された場合、決済機能１３は、決済データ変更ページ３９をブラウザＢ１に提供する。ユーザＵ１は、変更後の決済データを入力し、保存するか否か選択する。
【０１３５】
保存する場合には、ターゲット選択機能９は、選択されたターゲットデータをユーザＩＤに対応させて個別ユーザデータベース１５に登録し、決済機能１３は、個別ユーザデータベース１５に変更後の決済データを登録し、変更後の決済データにしたがって決済を行う。
【０１３６】
保存しない場合には、ターゲット選択機能９は、選択されたターゲットデータをユーザＩＤに対応させて個別ユーザデータベース１５に登録し、決済機能１３は、変更後の決済データにしたがって決済を行う。
【０１３７】
決済後、ユーザ管理機能６は、メニューページ２０をブラウザＢ１に提供する。
【０１３８】
図１０は、モザイク画像形成システム１の画像識別データ入力によるデジトレカ取得の画面遷移の一例を示す図である。
【０１３９】
トップページ１９で任意のアルバムプログラムが選択され、メニューページ２０上のデジトレカ取得ボタン２０ａがユーザＵ１によって押された場合、画像取得機能７は、画像識別データ入力ページ４１をブラウザＢ１に提供する。ユーザＵ１は、トレカに付されている画像識別データを入力する。
【０１４０】
画像取得機能７は、ベーシックデータベース１４を参照し、入力された画像識別データに対応する一以上のデジトレカを取得する。
【０１４１】
そして、画像取得機能７は、取得された一以上のデジトレカとユーザＩＤとを対応付けて個別ユーザデータベース１５に記録するとともに、新規デジトレカ一覧ページ２１をブラウザＢ１に提供する。
【０１４２】
新規デジトレカ一覧ページ２１は、画像識別データの入力により新たに取得されたデジトレカの一覧とモザイク画像作成ボタン２１ａ、取得デジトレカ一覧ボタン２１ｂを表示する。
【０１４３】
図１１は、モザイク画像形成システム１による取得デジトレカ一覧表示の画面遷移の一例を示す図である。
【０１４４】
トップページ１９で任意のアルバムプログラムが選択され、メニューページ２０上の取得デジトレカ一覧ボタン２０ｂ又は新規デジトレカ一覧ページ２１上の取得デジトレカ一覧ボタン２１ｂがユーザＵ１によって押された場合、画像取得機能７は、取得デジトレカ一覧ページ２２を表示する。取得デジトレカ一覧ページ２２は、ユーザＩＤと選択されたアルバムプログラムとに対応するデジトレカとモザイク画像作成ボタン２２ａとを表示する。
【０１４５】
図１２は、モザイク画像形成システム１によるモザイク画像作成の画面遷移の一例を示す図である。
【０１４６】
新規デジトレカ一覧ページ２１のモザイク画像作成ボタン２１ａ又は取得デジトレカ一覧ページ２２のモザイク画像作成ボタン２２ａがユーザＵ１によって押された場合、ターゲット選択機能９は、個別ユーザデータベース１５を参照し、ユーザＵ１がターゲットデータを取得済か否か判断する。
【０１４７】
ターゲットデータが取得されていない場合、ターゲット選択機能９は、上記図９に示すターゲット選択ページ２３の表示以降の処理を実行する。
【０１４８】
ターゲットデータが取得されている場合、モザイク作成機能１０は、ユーザＩＤにより個別ユーザデータベース１５を参照し、ユーザＵ１が取得したターゲットデータに基づいてこのターゲットデータに適用済みのデジトレカを配置し、さらに未適用のデジトレカを配置し、試験的なモザイク画像を形成する。
【０１４９】
モザイク作成機能１０は、形成したモザイク画像を含むモザイク画像作成ページ２４をブラウザＢ１に提供する。モザイク画像作成ページ２４は、試験的なモザイク画像の一覧、モザイク画像に必要な総デジトレカの枚数とデジトレカの配置枚数とを表示する。ユーザＵ１は、モザイク画像作成ページ２４上の試験的なモザイク画像の中から、任意のモザイク画像を選択する。
【０１５０】
モザイク作成機能１０は、個別ユーザデータベース１５の所定のユーザＩＤに対して、選択されたモザイク画像のターゲットデータと未適用のデジトレカとを対応付けて記録するとともに、未適用のデジトレカを適用済みのデジトレカとし、新規のモザイク画像を形成する。
【０１５１】
モザイク作成機能１０は、新たに形成されたモザイク画像を含むモザイク画像表示ページ２５をブラウザＢ１に提供する。
【０１５２】
図１３は、モザイク画像形成システム１によるデジトレカ取得の画面遷移の一例を示す図である。
【０１５３】
モザイク画像表示ページ２５のデジトレカ取得ボタン２５ａが押された場合、トレーディング機能１１は、デジトレカ選択ページ２６をブラウザＢ１に提供する。
【０１５４】
デジトレカ選択ページ２６は、モザイク画像表示ページ２５で表示したモザイク画像を表示する。ユーザＵ１は、モザイク画像のうち取得を希望するデジトレカの配置位置を選択する。
【０１５５】
トレーディング機能１１は、ベーシックデータベース１４を参照し、選択された位置の座標や、デジトレカの画像識別データなどからこの選択された位置に配置されるデジトレカと詳細内容を取得する。
【０１５６】
そして、トレーディング機能１１は、取得方法選択ページ２７をブラウザＢ１に提供する。取得方法選択ページ２７は、選択されたデジトレカ、詳細内容、購入ボタン２７ａとトレーディングボタン２７ｂを含む。
【０１５７】
ユーザＵ１によって購入ボタン２７ａが押されると、トレーディング機能１１は、購入ページ４２をブラウザＢ１に提供する。購入ページ４２は、取得を希望するデジトレカ、詳細内容、決済データ、購入ボタン４２ａ、決済データ変更ボタン４２ｂを表示する。
【０１５８】
ユーザＵ１によって購入ボタン４２ａが押されると、トレーディング機能１１は、ユーザＩＤにしたがって、ユーザＵ１が入手を希望したデジトレカをターゲットデータに対応付けて個別ユーザデータベース１５に登録し、決済機能１３は、個別ユーザデータベース１５に登録されている決済データにしたがって決済を行う。
【０１５９】
決済データ変更ボタン４２ｂが押された場合、決済機能１３は、決済データ変更ページ３９をブラウザＢ１に提供する。ユーザＵ１は、変更後の決済データを入力し、保存するか否か選択する。
【０１６０】
保存する場合、トレーディング機能１１は、ユーザＩＤにしたがって、選択されたデジトレカをターゲットデータに対応付けて個別ユーザデータベース１５に登録し、決済機能１３は、個別ユーザデータベース１５に変更後の決済データを登録し、変更後の決済データにしたがって決済を行う。
【０１６１】
保存しない場合には、トレーディング機能１１は、ユーザＩＤにしたがって、選択されたデジトレカをターゲットデータと対応付けて個別ユーザデータベース１５に登録し、決済機能１３は、変更後の決済データにしたがって決済を行う。
【０１６２】
一方、ユーザＵ１によって取得方法選択ページ２７のトレーディングボタン２７ｂが押されると、トレーディング機能１１は、ベーシックデータベース１４のトレード用出品リストから、求めているデジトレカの画像識別データに基づいて、他のユーザがユーザＵ１の保持するいずれかのデジトレカとユーザＵ１が入手を希望するデジトレカとのトレードを希望しているトレード用出品リストを求め、トレード用出品リストを記載した出品リストページ４３をブラウザＢ１に提供する。
【０１６３】
ユーザＵ１は、トレード用出品リストから任意のデータを選択する。
【０１６４】
すると、トレーディング機能１１は、出品内容詳細ページ４４をブラウザＢ１に提供する。出品内容詳細ページ４４は、選択された出品データの詳細内容と入札ボタン４４ａと戻りボタン４４ｂを表示する。
【０１６５】
戻りボタン４４ｂが押された場合には、トレーディング機能１１は、再び出品リストページ４３をブラウザＢ１に提供する。
【０１６６】
入札ボタン４４ａが押された場合には、トレーディング機能１１は、ベーシックデータベース１４の入札リストに、ユーザＩＤと交換するデジトレカとを示す入札データを登録する。
【０１６７】
トレーディング機能１１は、入札リストの中から任意のデータを選択する落札処理を実行する。出品リストに登録した入札者と落札者とにトレードが成立した旨のメールを送信する。メールに記載されているＵＲＬに双方がアクセスすると、トレードが行われ、トレーディング機能１１は、交換後のデジトレカを入札者及び落札者のユーザＩＤに対応付けるとともにターゲットデータと対応付けて個別ユーザデータベース１５に記録する。
【０１６８】
図１４は、モザイク画像形成システム１による商品購入の画面遷移の一例を示す図である。
【０１６９】
モザイク画像が完成した場合、ブラウザＢ１に商品購入ボタン４５ａを含むモザイク画像表示ページ４５が表示される。
【０１７０】
一方、メニューページ２０上のボタン２０ｄがユーザＵ１によって押された場合、商品提供機能１２は、個別ユーザデータベース１５を参照し、完成済みモザイク画像ページ２８を表示する。
【０１７１】
モザイク画像表示ページ４５の商品購入ボタン４５ａ又は完成済みモザイク画像ページ２８の商品購入ボタン２８ａが押された場合、商品提供機能１２は、ベーシックデータベース１４を参照し、商品選択ページ２９をブラウザＢ１に提供する。
【０１７２】
ユーザＵ１によって商品が選択されると、商品提供機能１２は、購入ページ４６をブラウザＢ１に提供する。すると、ブラウザＢ１は、購入ページ４６を表示する。購入ページ４６は、選択された商品の詳細内容、ユーザＵ１の決済データ、購入ボタン４６ａ、決済データ変更ボタン４６ｂを表示する。ユーザＵ１は、詳細内容、決済データを確認する。
【０１７３】
購入ボタン４６ａが押された場合、商品提供機能１２は、個別ユーザデータベース１５に選択された商品に関する商品データを登録し、決済機能１３は、登録されている決済データにしたがって決済を行う。
【０１７４】
決済データ変更ボタン４０ｂが押された場合、決済機能１３は、決済データ変更ページ３９をブラウザＢ１に提供する。ユーザＵ１は、変更後の決済データを入力し、保存するか否か選択する。
【０１７５】
保存する場合には、商品提供機能１２は、選択された商品の商品データを個別ユーザデータベース１５に登録し、決済機能１３は、個別ユーザデータベース１５に変更後の決済データを登録し、変更後の決済データにしたがって決済を行う。
【０１７６】
保存しない場合には、商品提供機能１２は、選択された商品の商品データを個別ユーザデータベース１５に登録し、決済機能１３は、変更後の決済データにしたがって決済を行う。
【０１７７】
以下に、本実施の形態に係るモザイク画像形成システムの各種動作について説明する。
【０１７８】
図１５は、モザイク画像形成システム１のユーザ登録処理の一例を示すフローチャートである。
【０１７９】
ステップＳ１０１において、ユーザ管理機能６は、トレカサイトで新規会員登録が選択された旨を認識する。
【０１８０】
ステップＳ１０２において、ユーザ管理機能６は、希望ユーザＩＤとパスワードとの入力を促す。
【０１８１】
ステップＳ１０３において、ユーザ管理機能６は、所定の規則にしたがって入力されたユーザの希望ユーザＩＤとパスワードとを受け付ける。
【０１８２】
ステップＳ１０４において、ユーザ管理機能６は、ユーザの入力した希望ユーザＩＤが既に登録済みの他のユーザＩＤと同一の場合、エラーメッセージを表示するとともに処理をステップＳ１０２に戻し、再度希望ユーザＩＤとパスワードの入力を促し、新たに希望ユーザＩＤとパスワードとを入力する。
【０１８３】
ユーザＩＤとパスワードとが正常に入力されたら、ステップＳ１０５において、ユーザ管理機能６は、入力されたユーザＩＤとパスワードとを個別ユーザデータベース１５に記録する。
【０１８４】
ステップＳ１０６において、ユーザ管理機能６は、所定のフォーマットにしたがってユーザの個人データの入力を促す。
【０１８５】
ステップＳ１０７において、ユーザ管理機能６は、個人データを受け付ける。
【０１８６】
ステップＳ１０８において、ユーザ管理機能６は、ユーザの個人データの入力に入力漏れや記入ミスなどのエラーがあると判断した場合、エラーメッセージを表示するとともに処理をステップＳ１０６に戻し、再度個人データの入力を促し、新たに個人データを受け付ける。
【０１８７】
個人データが正常に入力されたら、ステップＳ１０９において、ユーザ管理機能６は、入力を受け付けたユーザのユーザＩＤと個人データとを対応付けて個別ユーザデータベース１５に記録する。
【０１８８】
ステップＳ１１０において、ユーザ管理機能６は、所定のフォーマットにしたがってトレカサイトにおけるユーザの購入行動の際に利用される決済方法の決定を促す。例えば、複数の決済方法の選択肢をユーザに提示する。
【０１８９】
ステップＳ１１１において、ユーザ管理機能６は、決済方法を示す決済データを受け付ける。例えば、複数の選択肢からユーザの希望する決済方法の選択を受け付け、選択された決済方法の詳細内容を受け付ける。
【０１９０】
ステップＳ１１２において、ユーザ管理機能６は、ユーザの決済データの登録にエラーがあると判断した場合、エラーメッセージを表示するとともに処理をステップＳ１１０に戻し、再度決済方法の決定を促し、新たにユーザの決済データを受け付ける。
【０１９１】
決済データが正常に入力されたら、ステップＳ１１３において、ユーザ管理機能６は、入力を受け付けたユーザのユーザＩＤと決済方法を示す決済データとを対応付けて個別ユーザデータベース１５に記録する。
【０１９２】
図１６は、モザイク画像形成システム１のログイン処理の一例を示すフローチャートである。
【０１９３】
ステップＳ２０１において、ユーザ管理機能６は、トレカサイトで会員ログインが選択された旨を認識する。
【０１９４】
ステップＳ２０２において、ユーザ管理機能６は、ユーザにユーザＩＤとパスワードとの入力を促す。
【０１９５】
ステップＳ２０３において、ユーザ管理機能６は、ユーザからユーザＩＤとパスワードとの入力を受け付ける。
【０１９６】
ステップＳ２０４において、ユーザ管理機能６は、ユーザの入力したユーザＩＤとパスワードとが正当か否かを判断する。例えば、ユーザＩＤとパスワードとが予め個別ユーザデータベース１５に登録されており、入力を受け付けたユーザＩＤとパスワードとが個別ユーザデータベース１５に登録されているユーザＩＤとパスワードと整合するか否かを判断する。
【０１９７】
ユーザＩＤとパスワードとが正当でない場合、ユーザ管理機能６は、エラーメッセージを表示し、処理をステップＳ２０２に戻す。例えば、入力されたユーザＩＤが個別ユーザデータベース１５に登録されていない場合、「ユーザＩＤが間違っています」と表示する。また、入力されたユーザＩＤが存在するがパスワードが不適合の場合、「パスワードが異なります」と表示する。
【０１９８】
ユーザＩＤとパスワードとが正当な場合、ステップＳ２０５において、ユーザ管理機能６は、ユーザからトレカサイトへのアクセスを許可する。
【０１９９】
図１７は、モザイク画像形成システム１のアルバムプログラム購入処理の一例を示すフローチャートである。
【０２００】
ステップＳ３０１において、アルバム提供機能８は、トップページ１９でアルバム購入が選択された旨を認識する。
【０２０１】
ステップＳ３０２において、アルバム提供機能８は、アルバムプログラムのメーカ一覧を表示し、メーカの選択を促す。
【０２０２】
ステップＳ３０３において、アルバム提供機能８は、ユーザが購入を希望するアルバムプログラムのメーカの指定を受け付ける。
【０２０３】
ステップＳ３０４において、アルバム提供機能８は、ユーザの指定したメーカのキャラクタ一覧を表示し、キャラクタの選択を促す。
【０２０４】
ステップＳ３０５において、アルバム提供機能８は、ユーザが購入を希望するアルバムプログラムのキャラクタの指定を受け付ける。
【０２０５】
ステップＳ３０６において、アルバム提供機能８は、ユーザの指定したキャラクタのシリーズ一覧を表示し、シリーズの選択を促す。
【０２０６】
ステップＳ３０７において、アルバム提供機能８は、ユーザが購入を希望するアルバムプログラムのシリーズの指定を受け付ける。
【０２０７】
ステップＳ３０８において、アルバム提供機能８は、指定されたアルバムプログラムの詳細内容とユーザの決済データとを示す購入ページ３８を表示する。ユーザは、購入ページ３８にてアルバムプログラムの詳細内容を確認するとともに、さらに決済方法も現状でよいか確認する。
【０２０８】
購入ページ３８による確認の結果、ユーザが購入するアルバムプログラムを変更したい場合、ステップＳ３０９において、アルバム提供機能８は、上記ステップＳ３０２、Ｓ３０４、Ｓ３０６のうち任意の処理に戻る。この図１７では、ステップＳ３０２に戻る場合を示している。
【０２０９】
購入ページ３８による確認の結果、ユーザが決済方法を変更したい場合、ステップＳ３１０において、決済機能１３は、変更後の決済方法の決定を促す。
【０２１０】
ステップＳ３１１において、決済機能１３は、変更後の決済方法を示す変更後の決済データを受け付ける。
【０２１１】
ステップＳ３１２において、決済機能１３は、変更後の決済データを登録するか否かの判断をユーザに促し、変更後の決済データを登録する場合、ステップＳ３１３において、決済機能１３は、ユーザＩＤと変更後の決済データとを対応付けて個別ユーザデータベース１５に記録する。なお、ステップＳ３１２において、変更後の決済データを登録しない場合、ステップＳ３１４に進む。
【０２１２】
ステップＳ３１４において、アルバム提供機能８は、アルバムプログラムを購入したユーザのユーザＩＤとユーザが購入を希望するアルバムプログラムとを対応付けて個別ユーザデータベース１５に記録するとともに、ユーザが購入を希望するアルバムプログラムをユーザに提供する。
【０２１３】
ステップＳ３１５において、決済機能１３は、変更後の決済データにしたがってアルバムプログラムの購入についての決済を行う。
【０２１４】
一方、ユーザが決済方法を変更しない場合、ステップＳ３１６において、アルバム提供機能８は、このユーザのユーザＩＤとユーザが購入したアルバムプログラムとを対応付けて個別ユーザデータベース１５に記録するとともに、ユーザが購入を希望するアルバムプログラムをユーザに提供する。
【０２１５】
ステップＳ３１７において、アルバム提供機能８は、個別ユーザデータベース１５においてアルバムプログラムを購入したユーザのユーザＩＤに対応付けされている決済データにしたがってアルバムプログラムの購入についての決済を行う。
【０２１６】
図１８は、モザイク画像形成システム１のターゲットデータ購入処理の一例を示すフローチャートである。
【０２１７】
ステップＳ４０１において、ユーザ管理機能６は、アクセスしたユーザのユーザＩＤにより取得しているアルバムプログラムを特定し、トップページ１９の取得アルバム一覧を表示して、この一覧の中から任意のアルバムプログラムの選択を促す。
【０２１８】
ステップＳ４０２において、ユーザ管理機能６は、ユーザからアルバムプログラムの指定を受け付ける。
【０２１９】
ステップＳ４０３において、ユーザ管理機能６は、ユーザによるアルバムプログラムの指定から、このアルバムプログラムのメーカ、キャラクタ、シリーズを認識する。
【０２２０】
ステップＳ４０４において、ユーザ管理機能６は、メニューページ２０により次の処理内容の選択を促す。
【０２２１】
ステップＳ４０５において、ターゲット選択機能９は、ユーザがメニューページ２０においてターゲットデータ購入が選択された通知を受け付ける。
【０２２２】
ステップＳ４０６において、ターゲット選択機能９は、上記ステップＳ４０３において認識したメーカ、キャラクタ、シリーズに対応する候補のターゲットデータをベーシックデータベース１４から読み出し、候補のターゲットデータに対する選択を促すターゲット選択ページ２３を表示する。例えば、ターゲット選択ページ２３では、読み出されたターゲットデータに基づいて作成されるモザイク画像が粗い又はあいまいな状態で一覧表示される。ユーザは、この一覧の中から希望するモザイク画像の形成に必要なターゲットデータを選択する。
【０２２３】
ステップＳ４０７において、ターゲット選択機能９は、ユーザが購入を希望するターゲットデータの選択を受け付ける。
【０２２４】
ステップＳ４０８において、ターゲット選択機能９は、選択されたターゲットデータの詳細内容とユーザの決済データとを示す購入ページ４０を表示する。ユーザは、購入ページ４０にてターゲットデータの詳細内容（必要なデジトレカの枚数、仕上り寸法など）を確認するとともに、さらに決済方法も現状でよいか確認する。
【０２２５】
購入ページ４０による確認の結果、ユーザが購入するターゲットデータを変更したい場合、ステップＳ４０９において、ターゲット選択機能９は、上記ステップＳ４０１、Ｓ４０６のうち任意の処理に戻る。この図１８では、ステップＳ４０６に戻る場合を示している。
【０２２６】
購入ページ４０による確認の結果、ユーザが決済方法を変更したい場合のステップＳ４１０〜Ｓ４１３は、上記ステップＳ３１０〜Ｓ３１３と同様であるため、説明を省略する。
【０２２７】
ステップＳ４１４において、ターゲット選択機能９は、ターゲットデータを購入したユーザのユーザＩＤとユーザが購入を希望するターゲットデータとを対応付けて個別ユーザデータベース１５に記録する。
【０２２８】
ステップＳ４１５において、決済機能８は、変更後の決済データにしたがってターゲットデータの購入についての決済を行う。
【０２２９】
一方、ユーザが決済方法を変更しない場合、ステップＳ４１６において、ターゲット選択機能９は、ターゲットデータを購入したユーザのユーザＩＤとユーザが購入を希望するアルバムプログラムとを対応付けて個別ユーザデータベース１５に記録するとともに、ユーザが購入を希望するターゲットデータをユーザに提供する。
【０２３０】
ステップＳ４１７において、決済機能１３は、個別ユーザデータベース１５の決済データにしたがってターゲットデータの購入についての決済を行う。
【０２３１】
図１９は、モザイク画像形成システム１の画像識別データ入力によるデジトレカ取得処理の一例を示すフローチャートである。
【０２３２】
ステップＳ５０１〜Ｓ５０４は、上記ステップＳ４０１〜Ｓ４０４と同様であるため、説明を省略する。
【０２３３】
ステップＳ５０５において、画像取得機能７は、メニューページ２０においてデジトレカ取得が選択された通知を受け付ける。
【０２３４】
ステップＳ５０６において、画像取得機能７は、画像識別データ入力ページ４１を表示し、トレカに付されている画像識別データの入力をユーザに促す。ここで、画像識別データは、一度に複数個の入力が可能としてもよい。
【０２３５】
ステップＳ５０７において、画像取得機能７は、入力された画像識別データとベーシックデータベース１４に記録されているデジトレカとを照合し、入力された画像識別データに対応するデジトレカを取得する。ベーシックデータベース１４においては、画像識別データに少なくとも一つのデジトレカが対応付けされている。
【０２３６】
ステップＳ５０８において、画像取得機能７は、画像識別データを入力したユーザのユーザＩＤと取得されたデジトレカとを対応付けて個別ユーザデータベース１５に記録するとともに、新しく取得したデジトレカの識別データの一覧を含む新規デジトレカ一覧ページ２１を表示する。この段階では、デジトレカの画像ではなく、識別データのみが表示されてもよいし、デジトレカの画像が表示されてもよい。ここでは、識別データのみが表示されるとする。
【０２３７】
ステップＳ５０９において、画像取得機能７は、取得デジトレカ一覧の表示とモザイク画像作成のいずれかの選択を促す。
【０２３８】
取得デジトレカ一覧が選択された場合、ステップＳ５１０において、画像取得機能７は、取得デジトレカ一覧の表示処理を実行する。取得デジトレカ一覧の表示処理により、ユーザは実際のデジトレカの画像を閲覧できる。
【０２３９】
一方、モザイク画像作成が選択された場合、ステップＳ５１１において、モザイク作成機能１０は、ターゲットデータと、ユーザの取得したデジトレカとを用いてモザイク画像の作成処理を実行する。なお、本実施の形態では、デジトレカが個別ユーザデータベース１５に登録された直後にモザイク画像の作成処理が実行された場合には、新たに取得されたデジトレカについてのみモザイク画像への適用が行われるとする。デジトレカが個別ユーザデータベース１５に登録された直後において、既に取得済みであるがモザイク画像に対して未適用のデジトレカについては、試験的に当てはめを行う。
【０２４０】
図２０は、モザイク画像形成システム１の取得デジトレカ一覧表示処理の一例を示すフローチャートである。この処理は、先に示したステップＳ５１０に該当する。
【０２４１】
ステップＳ６０１〜Ｓ６０４は、上記ステップＳ４０１〜Ｓ４０４と同様であるため、説明を省略する。
【０２４２】
ステップＳ６０５において、画像取得機能７は、メニューページ２０において取得デジトレカ一覧の表示が選択された通知を受け付ける。
【０２４３】
ステップＳ６０６において、画像取得機能７は、個別ユーザデータベース１５において、この選択を行ったユーザのユーザＩＤに対応付けされているデジトレカの全てについて、表示を行う。
【０２４４】
ステップＳ６０７において、画像取得機能７は、表示されたデジトレカのうち任意のデジトレカについて詳細内容の表示をユーザが求めた場合、ステップＳ６０８において、画像取得機能７は、この任意のデジトレカについての詳細内容をベーシックデータベース１４から読み出し、詳細ページをポップアップ型で表示する。
【０２４５】
ステップＳ６０９において、ユーザが現在保持するデジトレカのうちモザイク画像に適用してない、いわゆる未適用のレジトレカについてモザイク画像への適用をユーザが求めた場合、ステップＳ６１０において、モザイク作成機能１０は、モザイク画面の作成処理を実行する。
【０２４６】
図２１は、モザイク画像形成システム１のモザイク画像作成処理の一例を示すフローチャートである。この処理は、上記ステップＳ５１１及びステップＳ６１０に相当する。
【０２４７】
ステップＳ７０１〜Ｓ７０４は、上記ステップＳ４０１〜Ｓ４０４と同様であるため、説明を省略する。
【０２４８】
ステップＳ７０５において、モザイク作成機能１０は、メニューページ２０経由で新規デジトレカ一覧ページ２１、取得デジトレカ一覧ページ２２においてモザイク画像作成が選択された旨の通知を受け付ける。
【０２４９】
ステップＳ７０６において、モザイク作成機能１０は、個別ユーザデータベース１５を参照し、この選択を行ったユーザのユーザＩＤに対応付けられたターゲットデータがあるかどうか、すなわちユーザがターゲットデータを購入しているか否かを判断する。
【０２５０】
このユーザがターゲットデータを購入していない場合、ステップＳ７０７において、ターゲットデータ購入処理のステップＳ４０６以降の処理が実行される。
【０２５１】
このユーザがターゲットデータを購入している場合、ステップＳ７０８において、モザイク作成機能１０は、ターゲットデータ毎に、適用済みのデジトレカと未だ適用していないデジトレカとを配置した試験的なモザイク画像と、このモザイク画像に利用できるデジトレカの適用枚数とを一覧表示する。すなわち、モザイク作成機能１０は、ユーザの取得したターゲットデータと取得したデジトレカとを参照し、ターゲットデータに対して既に適用されているデジトレカと未適用のレジトレカとを該当位置に配置した試験的なモザイク画像と数値データとを表示する。ユーザは、この未適用のデジトレカを適用した後の試験的なモザイク画像や適用枚数などの一覧を参考にして未適用のデジトレカを配置する任意のターゲットデータを選択する。例えば、選択は、表示されているモザイク画像を指定して行われる。
【０２５２】
ステップＳ７０９において、モザイク作成機能１０は、ユーザが未適用のデジトレカについて適用するターゲットデータの指定を受け付ける。
【０２５３】
ステップＳ７１０において、モザイク作成機能１０は、指定されたターゲットデータにデジトレカを配置したモザイク画像を表示するとともに、ユーザのユーザＩＤにより、指定されたターゲットデータと未適用のデジトレカとを対応付けて個別ユーザデータベース１５に記録する。また、モザイク作成機能１０は、未適用とされていたデジトレカをモザイク画像に適用したため、使用済み（適用済み）とする。
【０２５４】
ステップＳ７１１において、表示されているモザイク画像の任意の部分のデジトレカについてユーザが取得を希望した場合、ステップＳ７１２において、トレーディング機能１１は、トレーディング又は購入のための処理を実行する。
【０２５５】
図２２は、モザイク画像形成システム１のデジトレカ購入処理の一例を示すフローチャートである。この処理は、ステップＳ７１２における処理に相当する。
【０２５６】
ステップＳ８０１において、トレーディング機能１１は、モザイク画像表示ページ２５においてデジトレカ取得が選択された旨の通知を受け付ける。
【０２５７】
ステップＳ８０２において、トレーディング機能１１は、モザイク画像表示ページに表示されているモザイク画像に対してユーザが取得を希望するデジトレカの配置位置の指定を促す。
【０２５８】
ステップＳ８０３において、トレーディング機能１１は、モザイク画像表示ページに表示されているモザイク画像に対してユーザが取得を希望するデジトレカの配置位置の指定を入力する。
【０２５９】
ステップＳ８０４において、トレーディング機能１１は、ベーシックデータベース１４を参照し、表示されているモザイク画像において、指定された位置の座標や、指定されたデジトレカの識別データから、この位置に配置されるデジトレカを認識する。トレーディング機能１１は、認識されたデジトレカの詳細内容をベーシックデータベース１４から読み出して表示する。ユーザは、購入を希望したデジトレカの詳細内容を確認し、購入する場合にはデジトレカの購入を選択する。なお、ここでデジトレカのトレードを選択することもできる。
【０２６０】
すると、ステップＳ８０５において、トレーディング機能１１は、ユーザからのデジトレカの購入の通知を受け付ける。
【０２６１】
ステップＳ８０６において、トレーディング機能１１は、ユーザから購入指示を受け付けると、指定されたデジトレカの詳細内容とユーザの決済データとを示す購入ページ４２を表示する。
【０２６２】
購入ページ４２による確認の結果、ユーザが購入するデジトレカを変更したい場合、ステップＳ８０７において、トレーディング機能１１は、上記ステップＳ８０２に戻る。
【０２６３】
ユーザが決済方法を変更したい場合のステップＳ８０８〜ステップＳ８１１は、上記ステップＳ３１０〜Ｓ３１３と同様であるため、説明を省略する。
【０２６４】
ステップＳ８１２において、トレーディング機能１１は、この購入を要求したユーザのユーザＩＤとユーザが購入したデジトレカとを対応付けて個別ユーザデータベース１５に記録する。
【０２６５】
ステップＳ８１３において、決済機能８は、変更後の決済データにしたがってデジトレカの購入についての決済を行う。
【０２６６】
一方、ユーザが決済方法を変更しない場合、ステップＳ８１４において、トレーディング機能１１は、この購入を要求したユーザのユーザＩＤとユーザが購入したデジトレカとを対応付けて個別ユーザデータベース１５に記録する。
【０２６７】
ステップＳ８１５において、トレーディング機能１１は、個別ユーザデータベース１５の決済データにしたがってデジトレカの購入についての決済を行う。
【０２６８】
図２３は、モザイク画像形成システム１のトレーディング処理の一例を示すフローチャートである。この処理は、ステップＳ７１２における処理に相当する。
【０２６９】
ステップＳ９０１〜Ｓ９０４については、上記ステップＳ８０１〜Ｓ８０４と同様であるため、説明を省略する。
【０２７０】
ステップＳ９０５において、トレーディング機能１１は、認識されたデジトレカの詳細内容をベーシックデータベース１４から読み出して表示する。ユーザは、トレーディングを希望したデジトレカの詳細内容を確認し、トレーディングを希望する場合にはデジトレカのトレーディングを選択する。すると、トレーディング機能１１は、デジトレカのトレーディングが選択された旨の通知を受け付ける。
【０２７１】
ステップＳ９０６において、トレーディング機能１１は、ベーシックデータベース１４に登録されている出品リストに基づいて、他のユーザによるデジトレカの出品リストを表示する。ユーザは、取得を希望するデジトレカが出品されているか確認する。
【０２７２】
ステップＳ９０７において、トレーディング機能１１は、ユーザから入札を行うか出品を行うかの選択を入力する。トレーディングを希望するデジトレカが出品されていない場合、ユーザは、自己の所有しているあるデジトレカについて出品を行うことができる。一方、トレーディングを希望するデジトレカが出品されている場合、ユーザは、出品内容を確認し、出品リストの中から気に入ったデジトレカを選択し、入札に応ずる。
【０２７３】
ユーザが出品を行う場合、ステップＳ９０８において、トレーディング機能１１は、出品するデジトレカと出品に必要なデータを入力し、ベーシックデータベース１４に登録する。
【０２７４】
ユーザが入札を行う場合、ステップＳ９０９において、トレーディング機能１１は、入札を行う対象の選択を促す。
【０２７５】
ステップＳ９１０において、トレーディング機能１１は、ユーザの選択した入札対象を受け付ける。
【０２７６】
ステップＳ９１１において、トレーディング機能１１は、入札対象となったデジトレカについて詳細内容を表示する。
【０２７７】
ユーザが入札対象のデジトレカを変更したい場合、ステップＳ９１２において、トレーディング機能１１は、処理をステップＳ９０９に戻す。
【０２７８】
ステップＳ９１３において、トレーディング機能１１は、出品期間が経過した場合に、出品者に入札者の一覧を提示し、落札者の選択を促す。出品者は、一般的には、自分の出品したデジトレカと自分が取得したいデジトレカとを交換する旨の意思表示をしている入札者を落札者として選択する。
【０２７９】
ステップＳ９１４において、トレーディング機能１１は、落札者の選択を入力する。
【０２８０】
ステップＳ９１５において、トレーディング機能１１は、出品者と落札者とにメールを送信する。このメールには、ＵＲＬが記載されており、出品者と落札者はこのＵＲＬを選択する。
【０２８１】
ステップＳ９１６において、トレーディング機能１１は、出品者と落札者の双方がメールに記載したＵＲＬを選択した場合に、デジトレカの交換について両者が認証したとみなし、出品者と落札者について個別ユーザデータベース１５に保存されているトレーディング対象のデジトレカを交換する。
【０２８２】
ここで、トレーディング機能１１は、出品者の出品したデジトレカの識別データを個別ユーザデータベース１５から削除し、トレーディング対象のデジトレカの識別データを出品者のユーザＩＤと対応付けて個別ユーザデータベース１５に登録する。
【０２８３】
他方、トレーディング機能１１は、落札者の入札したデジトレカの識別データを個別ユーザデータベース１５から削除し、出品者の出品したデジトレカの識別データを落札者のユーザＩＤと対応付けて個別ユーザデータベース１５に登録する。
【０２８４】
図２４は、モザイク画像形成システム１の商品購入処理の一例を示すフローチャートである。
【０２８５】
ステップＳ１００１〜Ｓ１００４は、上記ステップＳ４０１〜Ｓ４０４と同様であるため、説明を省略する。
【０２８６】
ステップＳ１００５において、商品提供機能１２は、メニューページ２０においてモザイク画像ギャラリーが選択された旨の通知を受け付ける。
【０２８７】
ステップＳ１００６において、商品提供機能１２は、個別ユーザデータベース１５を参照し、ユーザの完成済みのモザイク画像を認識し、一覧表示し、完成済みのモザイク画像の中から商品の購入を行うモザイク画像の指定を促す。なお、商品提供機能１２は、指定された位置の座標からこの位置に配置されるデジトレカを認識し、指定されたデジトレカの詳細内容を表示するとしてもよい。
【０２８８】
ステップＳ１００７において、商品提供機能１２は、ユーザからモザイク画像の指定を受け付ける。
【０２８９】
ステップＳ１００８において、商品提供機能１２は、ベーシックデータベース１４と個別ユーザデータベース１５とを参照し、指定されたモザイク画像に対応付けされている商品の詳細内容とユーザの決済データとを示す購入ページ４６を表示する。ユーザは、購入ページ４６にて商品の詳細内容を確認するとともに、さらに決済方法も現状でよいか確認する。
【０２９０】
購入ページ４６による確認の結果、ユーザが購入する商品を変更したい場合、ステップＳ１００９において、商品提供機能１２は、上記ステップＳ１００６に戻る。
【０２９１】
ユーザが決済方法を変更したい場合のステップＳ１０１０〜ステップＳ１０１３は、上記ステップＳ３１０〜Ｓ３１３と同様であるため、説明を省略する。
【０２９２】
ステップＳ１０１４において、商品提供機能１２は、ユーザＩＤとユーザが購入を希望する商品についての商品データとを対応付けて個別ユーザデータベース１５に記録する。
【０２９３】
ステップＳ１０１５において、決済機能１３は、変更後の決済データにしたがって商品の購入についての決済を行う。
【０２９４】
一方、ユーザが決済方法を変更しない場合、ステップＳ１０１６において、商品提供機能１２は、商品の購入を行ったユーザのユーザＩＤとユーザが購入を希望する商品の商品データとを対応付けて個別ユーザデータベース１５に記録する。
【０２９５】
ステップＳ１０１７において、決済機能１３は、個別ユーザデータベース１５の決済データにしたがって商品の購入についての決済を行う。
【０２９６】
以上説明した本実施の形態では、市販されるトレカに画像識別データが付されており、ユーザは、モザイク画像形成システム１によるトレカサイト（会員制のＷｅｂサイト）に画像識別データを入力する。これにより、ユーザは、トレカサイト上で使用可能なデジトレカを取得できる。
【０２９７】
ユーザは、トレカサイト上で、取得したデジトレカを用いてモザイク画像を形成できる。これにより、ユーザは市販されるトレカの購入、収集、交換に加えて、モザイク画像の形成という新たな楽しみを得ることができる。トレカサイト運営者は、モザイク画像の形成という新しい芸術的な価値のある楽しみ方をユーザに提供することで、ユーザをより満足させることができる。
【０２９８】
また、本実施の形態では、モザイク画像の形成に必要であるが未だユーザが取得していないデジトレカを、オンライン上で購入又はトレーディングできるため、ユーザ間のデジトレカ取得活動を活発化でき、デジトレカを営業的に用いることができる。
【０２９９】
また、本実施の形態では、ユーザは、デジトレカを収集し、モザイク画像を完成させると、ポスターなど新たな価値のある商品を取得することができ、よりトレカ及びデジトレカを営業的に活用できる。
【０３００】
本実施の形態では、トレカ及びデジトレカに、コレクションや対戦ゲームの道具としての用途に加えて、新たな価値が与えられる。
【０３０１】
なお、本実施の形態において、モザイク画像形成システム１の各構成要素は、プログラムにより実現される部分がハードウェアによって実現されるとしてもよい。
【０３０２】
また、本実施の形態に係るモザイク画像形成システム１に具備される各構成要素は、同様の動作を実現可能であれば配置を変更させてもよく、また各構成要素を自由に組み合わせてもよく、各構成要素を自由に分割してもよく、いくつかの構成要素を削除してもよい。すなわち、本発明は、上記実施形態そのままに限定されるものではなく、実施段階ではその要旨を逸脱しない範囲で構成要素を変形して具体化できる。
【０３０３】
なお、本実施の形態において、モザイク画像形成システム１の各構成要素は、プログラムにより実現されてもよいし、ハードウェアによって実現されてもよい。また、モザイク画像形成システム１の動作に対応するモザイク画像形成方法を実行することにより、同様の作用により同様の効果を得ることができる。
【０３０４】
【発明の効果】
以上詳記したように本発明の請求項１，１０，１１においては、ユーザは、ターゲットデータに基づいて取得した画像データを配置し、モザイク画像を形成できる。
【０３０５】
請求項２においては、ユーザは、画像識別データに対応する画像データを取得し、取得した画像データをターゲットデータを用いて配置し、モザイク画像を形成できる。
【０３０６】
請求項３においては、ユーザは、自己の画像識別データの入力に応じて段階的にモザイク画像を形成していくことができ、ユーザに積極的に画像識別データの入力を促すことができる。システム運営者は、画像識別データの入力に応じたモザイク画像の形成という新たなサービスを提供できる。
【０３０７】
請求項４においては、ユーザは、自己の画像識別データの入力段階に応じたモザイク画像を閲覧できる。
【０３０８】
請求項５においては、ユーザは、自己の画像識別データの入力により取得した画像データを閲覧できる。
【０３０９】
請求項６においては、システム運営者は、アルバムプログラムの提供に対して対価を得ることができる。
【０３１０】
請求項７においては、ユーザは、自己の好みに応じて自分が形成するモザイク画像の模様を選択できる。
【０３１１】
請求項８においては、ユーザは、自己の取得した画像データと他のユーザの保持する画像データとを交換でき、画像データの取引、モザイク画像の形成の意欲を向上させることができる。
【０３１２】
請求項９においては、デジタルトレーディングカードに新たな価値を与えることができ、デジタルトレーディングカードの収集活動を活発化させることができ、デジタルトレーディングカード及びモザイク画像の形成を経済活動、営業活動に有効に利用できる。
【図面の簡単な説明】
【図１】本実施の形態に係るモザイク画像形成システムの構成の一例を示すブロック図。
【図２】アルバムプログラムによるデジトレカの表示形態の一例を示す図。
【図３】画像識別データとデジトレカとターゲットデータとに基づいて形成されたモザイク画像の一例を示す図。
【図４】個別ユーザデータベースの具体例を示す図。
【図５】ベーシックデータベースの具体例を示す図
【図６】モザイク画像形成システムによって提供されるモザイク画像形成サービスの具体例を示す図。
【図７】モザイク画像形成システムによるユーザ管理の画面遷移の一例を示す図。
【図８】モザイク画像形成システムによるアルバムプログラム購入の画面遷移の一例を示す図。
【図９】モザイク画像形成システムによるターゲットデータ購入の画面遷移の一例を示す図。
【図１０】モザイク画像形成システムの画像識別データ入力によるデジトレカ取得の画面遷移の一例を示す図。
【図１１】モザイク画像形成システムによる取得デジトレカ一覧表示の画面遷移の一例を示す図。
【図１２】モザイク画像形成システムによるモザイク画像作成の画面遷移の一例を示す図。
【図１３】モザイク画像形成システムによるデジトレカ取得の画面遷移の一例を示す図。
【図１４】モザイク画像形成システムによる商品購入の画面遷移の一例を示す図。
【図１５】モザイク画像形成システムのユーザ登録処理の一例を示すフローチャート。
【図１６】モザイク画像形成システムのログイン処理の一例を示すフローチャート。
【図１７】モザイク画像形成システムのアルバムプログラム購入処理の一例を示すフローチャート。
【図１８】モザイク画像形成システムのターゲットデータ購入処理の一例を示すフローチャート。
【図１９】モザイク画像形成システムのデジトレカ取得処理の一例を示すフローチャート。
【図２０】モザイク画像形成システムの取得デジトレカ一覧表示処理の一例を示すフローチャート。
【図２１】モザイク画像形成システムのモザイク画像作成処理の一例を示すフローチャート。
【図２２】モザイク画像形成システムのデジトレカ購入処理の一例を示すフローチャート。
【図２３】モザイク画像形成システムのトレーディング処理の一例を示すフローチャート。
【図２４】モザイク画像形成システムの商品購入処理の一例を示すフローチャート。
【符号の説明】
１…モザイク画像形成システム、２…ネットワーク、Ｕ１〜Ｕｎ…ユーザ、Ｔ１〜Ｔｎ…端末、Ｂ１〜Ｂｎ…ブラウザ、３…サーバマシン、４…記録媒体、５…モザイク画像形成プログラム、６…ユーザ管理機能、７…画像取得機能、８…アルバム提供機能、９…ターゲット選択機能、１０…モザイク作成機能、１１…トレーディング機能、１２…商品提供機能、１３…決済機能、１４…ベーシックデータベース、１５…個別ユーザデータベース
【図１】
2004363921.tif 000003
【図２】
2004363921.tif 000004
【図３】
2004363921.tif 000005
【図４】
2004363921.tif 000006
【図５】
2004363921.tif 000007
【図６】
2004363921.tif 000008
【図７】
2004363921.tif 000009
【図８】
2004363921.tif 000010
【図９】
2004363921.tif 000011
【図１０】
2004363921.tif 000012
【図１１】
2004363921.tif 000013
【図１２】
2004363921.tif 000014
【図１３】
2004363921.tif 000015
【図１４】
2004363921.tif 000016
【図１５】
2004363921.tif 000017
【図１６】
2004363921.tif 000018
【図１７】
2004363921.tif 000019
【図１８】
2004363921.tif 000020
【図１９】
2004363921.tif 000021
【図２０】
2004363921.tif 000022
【図２１】
2004363921.tif 000023
【図２２】
2004363921.tif 000024
【図２３】
2004363921.tif 000025
【図２４】
2004363921.tif 000026